(57)【要約】【課題】変圧器に直流電流を流して鉄心を磁化した後、遮断器を磁化に対応したタイミングで投入することによって突入電流を抑制する装置において、従来残留磁気によって鉄心の磁化に誤差が出る欠点があった。  これを解決するのが本発明の課題である。【解決手段】  すべて鉄心を始めに飽和させて残留磁気を最大値にする。  次に、ある相を飽和させながら別の相を大きく減磁する。  最後に減磁した相を増磁し飽和している相を減磁して必要な残留磁気を得る。【選択図】  図１
2006223083.tif 000002
【特許請求の範囲】
【請求項１】
三相変圧器の巻線がある鉄心をＡ脚、Ｂ脚、Ｃ脚とした場合、これらの鉄心がすべて飽和する大きさの直流電流を巻線に流すこと。
その後、二つの巻線（例、Ｂ脚の巻線とＣ脚の巻線）に互いに逆向きの直流電流を流すこと。
その後、前回と逆向きに二つの巻線に直流電流を流すこと。
上記性能をすべて有することを特徴とする三相変圧器の磁束を各鉄心ごとに直流で制御する装置。
【請求項２】
電力を供給する巻線のほかに三相変圧器を電源に投入する前後の磁束を制御するだけの容量を有する巻線を持つことを特徴とする三相変圧器。
【発明の詳細な説明】
【技術分野】
【０００１】  本発明は、変圧器の突入電流を抑制するためにあらかじめ鉄心を直流電流で磁化する装置に関する。
【背景技術】
【０００２】  従来、変圧器の突入電流を抑制する装置として下記のようなものがある。
（１）直列インピーダンスを通して電源に接続しその後これを短絡するもの
【特許文献１】特願平０４−２４８０３４
【特許文献２】特願２００２−２６９４６５
（２）電源の位相に同期して各相の遮断器を別のタイミングで投入するもの【特許文献３】特願平１０−１５１６０５
【特許文献４】特願平１０−３６２９０５
【特許文献５】特願２０００−１６６１９０
【特許文献６】特願２００１−０５６８１０
（３）サイリスタ等の半導体を電源に直列に挿入するもの【特許文献７】特願平０７−０５７１０８
【特許文献８】特願２００２−０５５９９７
（４）サイリスタ等の半導体により電源電圧を少しづつ上げていくもの【特許文献９】特願平０４−２３８３０６
【特許文献１０】特願２００２−０５５９９７
（５）直流電流を流して変圧器を励磁しておき、あるタイミングで三相同時に遮断器を投入するもの【特許文献１１】特願２００４−２０７９２０  （当社出願中）
がある。
【発明の開示】
【発明が解決しようとする課題】
【０００３】  本発明は当社出願中の特許、特願２００４−２０７９２０（当社出願中）が変圧器の残留磁気を考慮していないため直流磁化の値に誤差を生じ、突入電流が少し残る欠点をなくして、突入電流をほぼ完全になくすることが課題である。
上記課題を解決するために、残留磁気はどの相にどれだけ残っているかが分からないこと、ある相の磁束を変化させると他の相も変わってしまう問題を解決することが課題である。
【課題を解決するための手段】
【０００４】  本発明では上記の課題を解決するために、すべての鉄心を飽和させて残留磁気がどれだけ残っているか分からない問題を解決する。
三相変圧器の場合Ａ脚の鉄心を＋に飽和させ、Ｂ脚とＣ脚の鉄心をーに飽和させ、次にＢ脚を＋にＣ脚をーに磁化するとＡ脚とＢ脚は＋に飽和したままであるがＣ脚は減磁される。【０００５】  次にＢ脚をーにＣ脚を＋に磁化するとＡ脚は飽和状態のままでＢ脚とＣ脚は希望の残留磁気を持つことになる。
角形ヒステリシスを持った鉄心を使用した変圧器の場合、この状態であるタイミングの時遮断器を三相同時に投入すれば突入電流は流れない。
角形ヒステリシスでない鉄心の場合は直流電流を流したまま遮断器を投入する。
本文でＡ脚、Ｂ脚、Ｃ脚、と記しているのは説明を分かりやすくするために例をあげたものであり、実際には他の相と入れ替えても同様な動作をする。
単相変圧器の場合は始めに飽和させ、次に減磁させて希望の残留磁気をもたせる。
【発明の効果】
【０００６】  本発明によれば当社出願中の特許、特願２００４−２０７９２０の技術よりさらに精度の高い残留磁気、または直流励磁を変圧器に与えることが出来るのでほぼ完全に変圧器の突入電流を抑制することが出来る。
変圧器が連続運転中の交流励磁電流は定格容量の０．６５％程度であり、さらに変圧器の直流抵抗は４％程度であるため、励磁を行う直流電源の容量は変圧器容量の０．０２６％になり、他の方式に比較して経済的である。
【発明の実施するための最良の形態】
【０００７】  以下本発明の実施の形態を図１〜図９に基づいて説明する。
【実施例１】  図１は変圧器を三相電源に投入する場合の回路図で、実際の変圧器は１次巻線、２次巻線、場合によっては３次巻線まであるがこの図では説明を分かりやすくするために巻線を一組だけ書いてある。
この図において、Ａ，Ｂ，Ｃ，は三相電源とその相を示すもので、遮断器４により変圧器５が電源に接続される。【０００８】  １，２，３，は変圧器の巻線で１はＡ脚の巻線、２はＢ脚の巻線、３はＣ脚の巻線である。
遮断器４を投入する前に直流電源Ｅと抵抗Ｒを切替器を通じて変圧器の巻線１，２，３、に接続し直流電流を流す。
図１の切替器を図７のように切り替えるとＡ脚、Ｂ脚、Ｃ脚、にそれぞれφＡ、φＢ、φＣの磁束が流れる。
図２は図１の遮断器４が投入されて安定状態になった時の磁束を示すもので、Ａ脚、Ｂ脚、Ｃ脚、にそれぞれサイン状の磁束が流れている。
図３は同じ状態の巻線にかかる電圧を示すもので、サイン状の電圧が加わる。
図２、図３において遮断器４をＰ点で投入する場合にＡ脚は＋の残留磁気で大きさＢｍ、Ｂ脚とＣ脚はーの残留磁気で大きさＢｍ／２にあらかじめ磁化しておけば突入電流はない。【０００９】  図４〜図６は変圧器の巻線がΔ結線の場合の切替器の結線状態を示すもので、１はＡ脚の巻線、２はＢ脚の巻線、２はＣ脚の巻線である。
図４の状態で直流電源Ｅから直流電流を流し各鉄心を充分飽和させる。
この時の磁化の方向はＡ脚を＋とすると、Ｂ脚、Ｃ脚、はーである。
図１のφＡ、φＢ、φＣはこの状態の磁束の方向を示したものである。【００１０】  次に図５のように結線し、電流を流すとＢ脚はーＣ脚は＋に励磁され、Ｂ脚は飽和したままでＣ脚は減磁されるが、飽和状態からの減磁なので正確に残留磁気を設定できる。
この時Ａ脚には電流が流れないので先に飽和させた状態の残留磁気をそのまま保つ。
また、Ｃ脚とＢ脚は逆方向に励磁されるのでＡ脚に対する影響はほとんど無い。【００１１】  次に、図６のように直流電流を図５の場合に比較して逆に流すとＢ脚は減磁、Ｃ脚は増磁され、電流の大きさにより残留磁気を各相とも自由に設定できる。
この時Ａ脚に多少の影響がでることも予想されるが、再度図４の結線とし少しだけ電流を流せば修正できる。
これによりＢ脚とＣ脚に影響が出るがこれを見込んで先の設定を行う。【００１２】  図７〜図９は変圧器の巻線がＹ結線の場合の切替器の結線状態を示すもので、１はＡ脚の巻線、２はＢ脚の巻線、２はＣ脚の巻線である。
図７の結線によれば、図４と同じ電流分布でそれぞれの巻線に電流を流すことができる。
同様に図８は図５と同じ電流分布であり、図９は図６と同じ電流分布になるので、動作の説明はΔ結線の場合と同じである。【００１３】  直流電流を流すために別の巻線を巻いて直流電流を流す場合は、巻線の電圧電流及び結線の方法を自由に選択できるので、負荷が接続されたままの変圧器や高電圧となる巻線を取り扱わなくてもよい長所があり、巻線容量も定格容量の０．６５％の短時間定格でよい。
三相変圧器であっても２相に巻線を巻けば残留磁気を自由に設定できる。【００１４】  角形ヒステリシスをもった鉄心を使用した変圧器の場合は残留磁気の設定でほとんど目的を達成することができるが、そうでない鉄心の場合は図１の遮断器４を投入する直前または直後まで直流電流を流し続ける。
この時、切替器の巻線側にコンデンサを接続し切替器を切った後、数ｍＳはコンデンサから直流電流を供給するようにして、直流電源に交流電圧が加わらないようにする。
万一、直流電源に交流電圧が加わったときは抵抗Ｒにより短絡電流を阻止する。
【図面の簡単な説明】
【００１５】  図１は変圧器の突入電流を抑制する装置の回路図である。（実施例１）
図２は本発明の装置において、遮断器４、を閉じるタイミングと変圧器５、の各脚の磁束の関係を示すグラフである。
図３は本発明の装置において、遮断器４、を閉じるタイミングと変圧器５、の各脚の巻線に掛かる電圧の関係を示すグラフである。
【符号の説明】
【００１６】１          Ａ脚の巻線
２          Ｂ脚の巻線
３          Ｃ脚の巻線
４          遮断器
５          変圧器
Ｅ          直流電源
Ｒ          抵抗
φＡ        Ａ脚の磁束
φＢ        Ｂ脚の磁束
φＣ        Ｃ脚の磁束
Ｂｍ        磁束
【図１】
2006223083.tif 000003
【図２】
2006223083.tif 000004
【図３】
2006223083.tif 000005
【図４】
2006223083.tif 000006
【図５】
2006223083.tif 000007
【図６】
2006223083.tif 000008
【図７】
2006223083.tif 000009
【図８】
2006223083.tif 000010
【図９】
2006223083.tif 000011
【手続補正書】
【提出日】平成17年4月8日(2005.4.8)
【手続補正１】
【補正対象書類名】明細書
【補正対象項目名】００１５
【補正方法】変更
【補正の内容】
【００１５】
【図１】本発明の実施形態を示す変圧器の突入電流を抑制する装置の回路図である。
【図２】同回路において、遮断器４、を閉じるタイミングと変圧器５、の各脚の磁束の関係を示すグラフである。
【図３】同回路において、遮断器４、を閉じるタイミングと変圧器５、の各脚の巻線に掛かる電圧の関係を示すグラフである。
【図４】同回路図において、直流電流をはじめに流す場合の結線図である。
【図５】同回路図において、直流電流を次に流す場合の結線図である。
【図６】同回路図において、直流電流を最後に流す場合の結線図である。
【図７】同回路図において、変圧器の結線がスターの場合に直流電流を始めに流す場合の結線図である。
【図８】同回路図において、変圧器の結線がスターの場合に直流電流を次に流す場合の結線図である。
【図９】同回路図において、変圧器の結線がスターの場合に直流電流を最後に流す場合の結線図である。